(57)【要約】【課題】  ワイシャツの開襟時に、台襟前縁近傍部が立った状態を維持して首から離れないという従来技術の問題点を解決する。【解決手段】  襟用芯材は、偏平な袋と、前記袋に収容された塑性変形可能で耐久性があり且つ薄い又は細い素材で形成された環状体であって、開襟時に台襟前縁近傍部を襟羽根前縁近傍部と同一平面に維持できる曲げ剛性を有する環状体とを備え、着用時のワイシャツの、襟羽根前縁近傍部裏面と台襟前縁近傍部表面とに亙る部位に接着又は縫着される。【選択図】  図１
2011094270.tif 000002
【特許請求の範囲】
【請求項１】
偏平な袋と、前記袋に収容された塑性変形可能で耐久性があり且つ薄い又は細い素材で形成された環状体であって、開襟時に台襟前縁近傍部を襟羽根前縁近傍部と同一平面に維持できる曲げ剛性を有する環状体とを備え、着用時のワイシャツの、襟羽根前縁近傍部裏面と台襟前縁近傍部表面とに亙る部位に接着又は縫着されることを特徴とする襟用芯材。
【請求項２】
塑性変形可能で耐久性があり且つ薄い又は細い素材で形成された環状体であって、開襟時に台襟前縁近傍部を襟羽根前縁近傍部と同一平面に維持できる曲げ剛性を有する環状体と、環状体を覆う布とを備え、布の周縁部が、環状体の取り出しに必要な一部を除いて、着用時のワイシャツの、襟羽根前縁近傍部裏面と台襟前縁近傍部表面とに亙る部位に接着又は縫着され、布とワイシャツとの間の隙間に環状体が収容されることを特徴とする襟用芯材。
【請求項３】
環状体の素材は針金であることを特徴とする請求項１又は２に記載の襟用芯材。
【発明の詳細な説明】
【技術分野】
【０００１】
本発明は、襟用芯材に関するものである。
【背景技術】
【０００２】
襟元下部裏面に平板状の保形材を縫着したワイシャツが特許文献１に開示されている。
特許文献１のワイシャツには、前立ての第１ボタンを外した開襟時に襟元が弛まず、襟元が形崩れしないという利点がある。また、襟元が形崩れしないことにより、襟元が人体にまとわりつかなくなり、開襟時の首回りの通風状態が従来に比べて改善されるという利点もある。
【先行技術文献】
【特許文献】
【０００３】
【特許文献１】特開２００７−３２１３２６号公報
【発明の概要】
【発明が解決しようとする課題】
【０００４】
開襟時の首回りの通風状態を阻害する第２の要因として、開襟時に台襟前縁近傍部が立った状態を維持して首から離れないことが挙げられる。
特許文献１は、開襟時の首回りの通風状態を阻害する第２の要因を解決するものではない。
本発明は上記問題に鑑みてなされたものであり、ワイシャツの開襟時に、台襟前縁近傍部が立った状態を維持して首から離れないという従来技術の問題点を解決することを目的とする。
【課題を解決するための手段】
【０００５】
上記課題を解決するために、本発明においては、偏平な袋と、前記袋に収容された塑性変形可能で耐久性があり且つ薄い又は細い素材で形成された環状体であって、開襟時に台襟前縁近傍部を襟羽根前縁近傍部と同一平面に維持できる曲げ剛性を有する環状体とを備え、着用時のワイシャツの、襟羽根前縁近傍部裏面と台襟前縁近傍部表面とに亙る部位に接着又は縫着されることを特徴とする襟用芯材を提供する。
本発明に係る襟用芯材を取り付けたワイシャツを着用する際には、ワイシャツ着用者が、環状体の襟羽根に沿って延在する第１部位を台襟に沿って延在する第２部位に対して折り曲げ、前記第１部位を第２部位から面外変形させて台襟から襟羽根を折り返す。これにより、本発明に係る襟用芯材を取り付けたワイシャツを、通常のワイシャツとして着用することができる。開襟時には、ワイシャツ着用者が、折り曲げた第１部位を復元して第２部位と同一平面内で延在させる。台襟前縁近傍部が襟羽根前縁近傍部と同一平面内で延在することになり、寝た状態の襟羽根前縁近傍部に合わせて台襟前縁近傍部が寝た状態となって、首から離れる。この結果、首回りの通風が良くなる。
【０００６】
本発明においては、塑性変形可能で耐久性があり且つ薄い又は細い素材で形成された環状体であって、開襟時に台襟前縁近傍部を襟羽根前縁近傍部と同一平面に維持できる曲げ剛性を有する環状体と、環状体を覆う布とを備え、布の周縁部が、環状体の取り出しに必要な一部を除いて、着用時のワイシャツの、襟羽根前縁近傍部裏面と台襟前縁近傍部表面とに亙る部位に接着又は縫着され、布とワイシャツとの間の隙間に環状体が収容されることを特徴とする襟用芯材を提供する。
環状体を収容する袋をワイシャツに接着又は縫着するのに代えて、布の周縁部をワイシャツに接着又は縫着し、布とワイシャツとで環状体を収容する袋を形成しても良い。
【０００７】
本発明の好ましい態様においては、環状体の素材は針金である。
針金は、塑性変形可能で耐久性があり且つ細いので、環状体の素材として好適である。
【図面の簡単な説明】
【０００８】
【図１】本発明の実施例に係る襟用芯材を取り付けたワイシャツの斜視図である。
【図２】本発明の実施例に係る襟用芯材を取り付けたワイシャツの、着用前の斜視図である。
【図３】本発明の実施例に係る襟用芯材を取り付けたワイシャツの開襟時の斜視図である。
【発明を実施するための形態】
【０００９】
本発明の実施例に係る襟用芯材を説明する。
図１、２に示すように、襟用芯材１は、略長方形の偏平な袋２と、袋２に収容された針金の環状体３とを備えている。環状体３は略長方形の平面形状を有している。袋２の一面にはホットメルト接着剤が予め付着している。ホットメルト接着剤は、熱可塑性樹脂を主成分とした有機溶剤を含まない１００％固形分の接着剤である。針金に植毛し或いは２枚の薄帯に針金を挟んだモール針金を、環状体３を形成する針金として使用している。襟用芯材１は、着用時のワイシャツ１００の、襟羽根１０１の前縁近傍部裏面と、台襟１０２の前縁近傍部表面とに亙る部位に、アイロンを用いてホットメルト接着剤を溶融させつつ押し当てられることにより、前記部位に接着されている。
【００１０】
襟用芯材１を取り付けたワイシャツ１００を着用する際には、図２に示すように、ワイシャツ着用者が、針金の環状体３の襟羽根１０１に沿って延在する第１部位を、台襟１０２に沿って延在する第２部位に対して折り曲げ、前記第１部位を前記第２部位から面外変形させて、台襟１０２から襟羽根１０１を折り返す。これにより、襟用芯材１を取り付けたワイシャツ１００を、通常のワイシャツとして着用することができる。ワイシャツ１００の着用時には、襟用芯材１は、襟羽根１０１と台襟１０２とに挟まれて、第３者の視線から遮蔽される。従って、襟用芯材１は、ワイシャツの見栄えを損なわない。
開襟時には、図３に示すように、ワイシャツ着用者が、環状体３の折り曲げた第１部位を復元して第２部位と同一平面内で延在させる。この結果、台襟１０２の前縁近傍部が、襟羽根１０１の前縁近傍部と同一平面内で延在することになり、寝た状態の襟羽根前縁１０１近傍部に合わせて台襟１０２前縁近傍部が寝た状態となって、首から離れる。この結果、首回りの通風が良くなる。
襟用心材１は、市販されているワイシャツ１００に後付けして、開襟時のワイシャツ１００の快適性を高めることができる点で、消費者にとって利便性が高い。
ワイシャツ１００の洗濯やアイロン掛けは、針金の環状体３を袋２から取り出した後に行えば、作業に支障を来さない。作業後に針金の環状体３を袋２戻せば、襟用芯材として機能する。
【００１１】
袋２をワイシャツ１００に接着するための接着剤はホットメルト接着剤に限定されない。
袋２をワイシャツ１００に縫い付けても良い。
袋２は、外周の一辺を開放したものでも良く、或いは表面にスリットを形成したものでも良い。
環状体３の素材は、針金に限定されない。塑性変形可能で耐久性があり且つ薄い又は細い素材であれば良い。環状体３は、開襟時に台襟１０２の前縁近傍部を襟羽根１０１の前縁近傍部と同一平面に維持できる曲げ剛性を有する必要がある。
環状体３の平面形状は特に限定されない。長方形、長円形、楕円形でも良く、或いは他の形状でも良い。台襟１０２から襟羽根１０１に向かう方向を長手方向とした時の環状体３の横幅は、比較的狭い方が、向かい合う２本の針金を一体的に面外変形させ易い。
袋２の平面形状は、環状体３の平面形状の相似形状であることが望ましいが、特に限定されない。長方形、長円形、楕円形でも良く、或いは他の形状でも良い。
針金の環状体３を収容する袋２をワイシャツ１００に接着又は縫着するのに代えて、針金の環状体３を覆うことができる形状寸法の布の周縁部を、針金の環状体３の取り出しに必要な一部を除いて、着用時のワイシャツ１００の、襟羽根１０１前縁近傍部裏面と台襟１０２前縁近傍部表面とに亙る部位に接着又は縫着し、前記布とワイシャツ１００とで針金の環状体３を収容する袋２を形成しても良い。
【産業上の利用可能性】
【００１２】
本発明に係る襟用芯材は、ワイシャツの快適性を高める物品として服飾産業で広く利用可能である。
【符号の説明】
【００１３】
１  襟用芯材
２  袋
３  針金の環状体
１００  ワイシャツ
１０１  襟羽根
１０２  台襟
【図１】
2011094270.tif 000003
【図２】
2011094270.tif 000004
【図３】
2011094270.tif 000005